(57)【要約】【課題】ブラシ部分を傷めたり汚したりすることなく、かつ、簡単に軸部分を持つことができる化粧筆及び化粧筆セットを提供することを目的とする。【解決手段】化粧筆１０は、持つ部分となる軸１１に、磁石または磁石に引きつけられる磁性材料よりなる接着部１１ａが設けられている。これにより、軸１１を持って、接着部１１ａを、磁石または磁石に引きつけられる磁性材料に接着及び剥離することができ、ブラシ１２を傷めたり汚したりすることなく、かつ、簡単に使用することができるようになっている。【選択図】図３
0003196972.tif 000002
【実用新案登録請求の範囲】
【請求項１】
持つ部分となる軸に、磁石または磁石に引きつけられる磁性材料よりなる接着部が設けられたことを特徴とする化粧筆。
【請求項２】
前記軸には、周方向及び長さ方向にそれぞれ複数の面が形成されていることを特徴とする請求項１記載の化粧筆。
【請求項３】
請求項１または請求項２に記載の化粧筆と、この化粧筆を支持する筆立てとを有し、
前記筆立てには、前記接着部と接着可能な磁石または磁石に引きつけられる磁性材料よりなる支持部が設けられたことを特徴とする化粧筆セット。
【考案の詳細な説明】
【技術分野】
【０００１】
本考案は、化粧筆及び化粧筆を用いた化粧筆セットに関する。
【背景技術】
【０００２】
化粧筆は、ブラシ部分に化粧品を付けで顔に塗るものであるので、ブラシ部分を机や容器等に接触させないで保存することができれば好ましい。
【０００３】
化粧筆を入れる筒状の筆立てもあるが、この場合には、ブラシ部分を上にして入れるので、ブラシ部分あるいは口金部分を持って取り出し、もう一度軸部分を持ちなおして使用しなければならない。
【先行技術文献】
【特許文献】
【０００４】
【特許文献１】意匠登録第１４９３９７６号公報
【考案の概要】
【考案が解決しようとする課題】
【０００５】
そこで、ブラシ部分を傷めず、簡単に軸部分を持つことができる化粧筆及び化粧筆セットの開発が望まれている。
【０００６】
本考案は、このような問題に基づきなされたものであり、ブラシ部分を傷めたり汚したりすることなく、かつ、簡単に軸部分を持つことができる化粧筆及び化粧筆セットを提供することを目的とする。
【０００７】
なお、化粧筆としては、特許文献１に記載の化粧用ブラシなどがあるが、本考案とは構成が異なっている。
【課題を解決するための手段】
【０００８】
本考案の化粧筆は、持つ部分となる軸に、磁石または磁石に引きつけられる磁性材料よりなる接着部が設けられたものである。また、本考案の化粧筆セットは、化粧筆と、この化粧筆を支持する筆立てとを有し、筆立てには、接着部と接着可能な磁石または磁石に引きつけられる磁性材料よりなる支持部が設けられたものである。
【考案の効果】
【０００９】
本考案によれば、軸に、磁石または磁石に引きつけられる磁性材料よりなる接着部を設けるようにしたので、例えば、使用しない時には、接着部を磁石または磁石に引きつけられる磁性材料に接着させることにより、ブラシ部分を空中に浮かせた状態で置いておくことができる。また、使用する際には、軸部分を持って、接着部を磁石または磁石に引きつけられる磁性材料から剥離することにより、持ち直すことなく、そのまま使用することができる。よって、ブラシ部分を傷めたり汚したりすることを防止することができ、かつ、簡単に使用することができる。
【００１０】
従って、本考案の化粧筆セットによれば、筆立てに、接着部と接着可能な磁石または磁石に引きつけられる磁性材料よりなる支持部を設けるようにしたので、化粧筆の接着部を支持部に接着させることにより、ブラシ部分傷めたり汚したりすることなく、かつ、軸部分を簡単に持つことができる。
【００１１】
また、軸の周方向及び長さ方向にそれぞれ複数の面を形成するようにすれば、例えば、親指と人差し指で軸部分を持つときに、どの位置で持っても指先が面に接するようになり、持ちやすくすることができる。
【図面の簡単な説明】
【００１２】
【図１】本考案の一実施の形態に係る化粧筆の構成を表す図である。
【図２】図１に示した化粧筆を支持する筆立てを表す図である。
【図３】図１に示した化粧筆を用いた化粧筆セットを表す図である。
【考案を実施するための形態】
【００１３】
以下、本考案の実施の形態について、図面を参照して詳細に説明する。
【００１４】
図１は、本考案の一の実施の形態に係る化粧筆１０の構成を表すものであり、（Ａ）は外観構成を表し、（Ｂ）は部分断面構成を表している。化粧筆１０は、例えば、持つ部分となる軸１１と、ブラシ１２とが、口金１３を介して接合されている。軸１１と口金１３とは、例えば、かしめることにより、また、ブラシ１２と口金１３とは、例えば、プレスすることにより接合されている。
【００１５】
軸１１には、磁石または磁石に引きつけられる磁性材料よりなる接着部１１ａが設けられている。これにより、例えば、軸１１を持って、接着部１１ａを、磁石または磁石に引きつけられる磁性材料に接着したり、又は、剥離したりすることができるようになっており、ブラシ１２を傷めたり汚したりすることなく簡単に使用することができるようになっている。接着部１１ａは、軸１１の後端部１１ｂ（ブラシ１２と反対側の端部）に設けることが好ましい。
【００１６】
また、軸１１には、周方向及び長さ方向にそれぞれ複数の面が形成されていることが好ましい。例えば、親指と人差し指で軸１１を持つときに、どの位置で持っても指先が面に接するようになり、持ちやすくなるからである。このような軸１１は、例えば、棒状の部材の側面を、不規則に削って複数の面を形成することで製造することができる。
【００１７】
図２は、化粧筆１０を支持する筆立て２０を表すものであり、図３は、化粧筆１０を筆立て２０に支持させた状態を表す化粧筆セット３０を表すものである。筆立て２０には、接着部１１ａと接着可能な磁石または磁石に引きつけられる磁性材料よりなる支持部２１が設けられている。これにより、例えば、化粧筆１０の軸１１を持って、接着部１１ａを、支持部２１に接着及び剥離することができるようになっており、ブラシ１２を傷めたり汚したりせずに簡単に使用することができるようになっている。
【００１８】
また、接着部１１ａが、軸１１の後端部１１ｂ（ブラシ１２と反対側の端部）に設けられている場合には、図３に示したように、化粧筆１０を立てて支持できるので好ましい。より簡単に、化粧筆１０の軸１１を持って、接着部１１ａを、支持部２１に接着及び剥離することができると共に、ブラシ１２が机や容器等に接触しないので、より傷めたり汚したりせずに使用することができるからである。
【００１９】
支持部２１は、複数形成されていることが好ましい。異なる用途あるいは大きさなどの化粧筆を複数並べて支持することができるからである。筆立て２０の形状および材質は、特に限定されないが、デザイン性に優れたものや、木材で形成されたものなどが挙げられる。なお、支持部２１は、図２及び図３に示したように、筆立て２０の一部に設けるようにしてもよいが、筆立て２０全体を接着部１１ａと接着可能な磁石または磁石に引きつけられる磁性材料により構成し、全体が支持部２１として機能するようにしてもよい。
【００２０】
このように本実施の形態によれば、軸１１に、磁石または磁石に引きつけられる磁性材料よりなる接着部１１ａを設けるようにしたので、例えば、使用しない時には、接着部１１ａを磁石または磁石に引きつけられる磁性材料に接着させることにより、ブラシ１２を空中に浮かせた状態で置いておくことができる。また、使用する際には、軸１１を持って、接着部１１ａを磁石または磁石に引きつけられる磁性材料から剥離することにより、持ち直すことなく、そのまま使用することができる。よって、ブラシ１２を傷めたり汚したりすることを防止することができ、かつ、簡単に使用することができる。
【００２１】
従って、化粧筆セット３０によれば、筆立て２０に、接着部１１ａと接着可能な磁石または磁石に引きつけられる磁性材料よりなる支持部２１を設けるようにしたので、化粧筆１０の接着部１１ａを支持部２１に接着させることにより、ブラシ１２を傷めたり汚したりすることなく、かつ、軸１１を簡単に持つことができる。
【００２２】
また、軸１１の周方向及び長さ方向にそれぞれ複数の面を形成するようにすれば、例えば、親指と人差し指で軸部分を持つときに、どの位置で持っても指先が面に接するようになり、持ちやすくすることができる。
【００２３】
以上、実施の形態を挙げて本発明を説明したが、本発明は上記実施の形態に限定されるものではなく、種々変形可能である。
【符号の説明】
【００２４】
１０…化粧筆、１１…軸、１１ａ…接着部、１１ｂ…後端部、１２…ブラシ、１３…口金、２０…筆立て、２１…支持部、３０…化粧筆セット
【図１】
0003196972.tif 000003
【図２】
0003196972.tif 000004
【図３】
0003196972.tif 000005